(57)【要約】【課題】ＩＲシステムに適用可能となった赤外線リモコン装置を提供する。【解決手段】プラズマディスプレイ２の発光光Ｓ１が赤外線ノイズＳ２として重畳される赤外線信号を受信し電気信号に変換して受光出力信号Ｓ４を得、該受光出力信号Ｓ４からプラズマディスプレイ２の発光タイミングに同期した遮断パルス信号Ｓ５により赤外線ノイズＳ２を除去したノイズ除去信号Ｓ６を得、該ノイズ除去信号Ｓ６から搬送波成分を除去した復調信号Ｓ７を得、該復調信号Ｓ７と遮断パルス信号Ｓ５とに基づきコード信号Ｓ９に復元し、ノイズ除去信号Ｓ６に含まれる搬送波信号に基づき再生搬送波信号Ｓ８を生成し、前記コード信号Ｓ９により再生搬送波信号Ｓ８を変調する【選択図】図１
2008211357.tif 000002
【特許請求の範囲】
【請求項１】
プラズマディスプレイの発光光が赤外線ノイズとして重畳される赤外線リモコン信号を受信し電気信号に変換した受光出力信号を出力するリモコン受信部と、
前記受光出力信号から前記プラズマディスプレイの発光タイミングに同期した遮断パルス信号により前記受光出力信号の前記赤外線ノイズが重畳した部分を除去してノイズ除去信号を得るノイズ除去部と、
該ノイズ除去信号から搬送波成分を除去した復調信号を出力する復調部と、
前記復調信号と前記遮断パルス信号とを入力して、前記復調信号のパルス前縁と前記遮断パルス信号のパルス後縁又は前記復調信号のパルス後縁と前記遮断パルス信号のパルス前縁の少なくともいずれか一方に一致したときに前記遮断パルス信号と同期間のパルス部分を付加してコード信号に復元するエンコーダと、
前記ノイズ除去信号に含まれる搬送波信号に基づき連続する再生搬送波を生成する発振回路と、
前記エンコーダから出力するコード信号により前記発振回路から出力する再生搬送波を変調する変調部とを設けた、
ことを特徴とする赤外線リモコン装置。
【請求項２】
請求項１に記載の赤外線リモコン装置において、
前記エンコーダは、前記遮断パルス信号のパルス後縁と前記復調信号のパルス前縁が一致するとき前記復調信号のパルス前縁にパルス成分を付加して所定のパルス幅とし、前記遮断パルス信号のパルス前縁と前記復調信号のパルス後縁が一致するとき前記復調信号のパルス後縁にパルス成分を付加して所定のパルス幅とし、前記遮断パルス信号のパルス前縁と前記復調信号のパルス後縁が一致し且つ前記遮断パルス信号のパルス後縁と前記復調信号のパルス前縁が一致するとき前記復調信号のパルス後縁とパルス前縁の間にパルス成分を付加して所定のパルス幅とすることを特徴とする赤外線リモコン装置。
【請求項３】
請求項１に記載の赤外線リモコン装置において、
前記発振回路は、前記ノイズ除去信号に含まれる搬送波信号を基準信号として該基準信号と同じ周波数の再生搬送波を生成するＰＬＬ回路であることを特徴とする赤外線リモコン装置。
【請求項４】
請求項１乃至３のいずれかに記載の赤外線リモコン装置において、前記変調部の出力信号を用いて前記プラズマディスプレイ以外の他の電子機器をリモコン制御することを特徴とする赤外線リモコンシステム。
【発明の詳細な説明】
【技術分野】
【０００１】
本発明は、プラズマディスプレイ装置に適用する赤外線リモコン装置およびシステムに関するものである。
【背景技術】
【０００２】
プラズマディスプレイ装置の発光光は、リモコン装置から発信する赤外線リモコン信号に対して赤外線ノイズとして重畳し、リモコン受信部の受信感度の劣化を引き起こす。そこで、従来では、リモコン受信部において、赤外線リモコン信号の変調周波数に対応した狭帯域フィルタでその赤外線ノイズを除去している。しかし、操作対象に応じて異なる変調周波数を使用する多機器制御赤外線リモコンシステム（ＩＲシステム）では、複数の異なる変調周波数の赤外線リモコン光を受信し、処理する必要があるため、狭帯域フィルタを使用することができず、相対的にリモコン受信部の受信感度が劣化する。
【０００３】
そこで、狭帯域フィルタを使用せずに、プラズマディスプレイ装置の発光光に含まれる赤外線ノイズを除去する手法が提案されている（例えば、特許文献１）。これは、図５に示すように、リモコン送信器３から発信した赤外線リモコン光をリモコン受信部４Ａで受信し、そこで受信光信号を電気信号に変換すると共に復調し、その復調信号をデコーダ１１に出力する経路に、ノイズ除去部５を挿入しておいて、プラズマディスプレイ２の発光中は、制御回路１から遮断パルス信号をノイズ除去部５に入力させて、リモコン受信部４Ａから出力する復調信号の赤外線ノイズ部分を除去し、デコーダ１１に送り出すようにしたものである。デコーダ１１は復調信号の各パルス周期やパルス幅から、コマンドデータの内容を判別して、制御回路１に出力する。
【特許文献１】特開２００１−３５２４６０号公報
【発明の開示】
【発明が解決しようとする課題】
【０００４】
ところが、上記提案の技術では、赤外線リモコン信号を電気信号に変換し復調した後の信号に対してノイズ除去を行っているので、異なる周波数で変調された複数の赤外線リモコン信号の内の所定の赤外線リモコン信号を受信し、これを復調した後に再変調して新たな赤外線リモコン信号を生成するＩＲシステムに適用する場合は、ノイズ除去された制御信号の元の搬送波周波数が判別できず、制御信号を再変調することができないという問題がある。
【０００５】
本発明の目的は、上記したＩＲシステムに適用可能となった赤外線リモコン装置およびシステムを提供することである。
【課題を解決するための手段】
【０００６】
上記課題を解決するために、請求項１にかかる発明の赤外線リモコン装置は、プラズマディスプレイの発光光が赤外線ノイズとして重畳される赤外線リモコン信号を受信し電気信号に変換した受光出力信号を出力するリモコン受信部と、前記受光出力信号から前記プラズマディスプレイの発光タイミングに同期した遮断パルス信号により前記受光出力信号の前記赤外線ノイズが重畳した部分を除去してノイズ除去信号を得るノイズ除去部と、該ノイズ除去信号から搬送波成分を除去した復調信号を出力する復調部と、前記復調信号と前記遮断パルス信号とを入力して、前記復調信号のパルス前縁と前記遮断パルス信号のパルス後縁又は前記復調信号のパルス後縁と前記遮断パルス信号のパルス前縁の少なくともいずれか一方に一致したときに前記遮断パルス信号と同期間のパルス部分を付加してコード信号に復元するエンコーダと、前記ノイズ除去信号に含まれる搬送波信号に基づき連続する再生搬送波を生成する発振回路と、前記エンコーダから出力するコード信号により前記発振回路から出力する再生搬送波を変調する変調部とを設けた、ことを特徴とする。
請求項２にかかる発明は、請求項１に記載の赤外線リモコン装置において、前記エンコーダは、前記遮断パルス信号のパルス後縁と前記復調信号のパルス前縁が一致するとき前記復調信号のパルス前縁にパルス成分を付加して所定のパルス幅とし、前記遮断パルス信号のパルス前縁と前記復調信号のパルス後縁が一致するとき前記復調信号のパルス後縁にパルス成分を付加して所定のパルス幅とし、前記遮断パルス信号のパルス前縁と前記復調信号のパルス後縁が一致し且つ前記遮断パルス信号のパルス後縁と前記復調信号のパルス前縁が一致するとき前記復調信号のパルス後縁とパルス前縁の間にパルス成分を付加して所定のパルス幅とすることを特徴とする。
請求項３にかかる発明は、請求項１に記載の赤外線リモコン装置において、前記発振回路は、前記ノイズ除去信号に含まれる搬送波信号を基準信号として該基準信号と同じ周波数の再生搬送波を生成するＰＬＬ回路であることを特徴とする。
請求項４にかかる発明の赤外線リモコンシステムは、請求項１乃至３のいずれかに記載の赤外線リモコン装置において、前記変調部の出力信号を用いて前記プラズマディスプレイ以外の他の電子機器をリモコン制御することを特徴とする。
【発明の効果】
【０００７】
本発明によれば、リモコン受信部で受信され光電変換された受光出力信号に対して、復調される前に赤外線ノイズを除去し、その後に復調して復調信号を取り出すので、ノイズ除去信号から当該赤外線リモコン信号の変調周波数を正確に検出することができ、再変調が可能であり、ＩＲシステムに適用可能となる。
【発明を実施するための最良の形態】
【０００８】
図１は本発明の赤外線リモコン装置を適用したプラズマディスプレイ装置の要部の構成を示す図である。１は制御部、２は映像を表示するプラズマディスプレイ、３はリモコン送信器、４はリモコン受信部、５はノイズ除去部、６は復調部、７はエンコーダ、８は再生搬送波信号を生成する発振回路としてのＰＬＬ回路、９は変調部である。
【０００９】
制御回路１は、プラズマディスプレイ２を制御して映像表示を行わせると同時に、発光期間を示す遮断パルス信号Ｓ５をノイズ除去部５に出力する。プラズマディスプレイ２は、制御回路１から供給されたタイミングに応じて発光（Ｓ１）し、映像を表示する。リモコン送信器３は、ユーザのキー操作に応じて、特定の周波数の搬送波で変調されたコード信号で赤外線をＯＮ／ＯＦＦ変調した赤外線リモコン信号Ｓ３を出力する。リモコン受信部４は、フォトダイオードとアンプ等で構成され、受光した赤外線リモコン信号Ｓ３を電気信号に変換し、得られた受光出力信号Ｓ４をノイズ除去部５に出力する。ノイズ除去部５は、制御回路１から出力するプラズマディスプレイの発光期間に同期した遮断パルス信号Ｓ５により、リモコン受信部４から出力する受光出力信号Ｓ４を遮断して、ノイズ除去信号Ｓ６として復調部６に出力する。復調部６は、ノイズ除去部５から出力するノイズ除去信号Ｓ６から搬送波成分を除去して復調信号Ｓ７を生成し、エンコーダ７に出力する。エンコーダ７は、復調部６から出力する復調信号Ｓ７と遮断パルス信号Ｓ５に基づきコード信号Ｓ９を復元し、制御回路１に出力する。ＰＬＬ回路８は、ノイズ除去部５から出力するノイズ除去信号Ｓ６に含まれる搬送波の周波数を基準周波数として、当該基準周波数と同じ周波数の連続する再生搬送波信号Ｓ８を生成する。変調部９は、エンコーダ７から出力するコード信号Ｓ９によって、ＰＬＬ回路８で発振された再生搬送波信号Ｓ８を変調する。この変調部９からは、プラズマディスプレイ２の発光による赤外線ノイズを除去した再変調信号Ｓ１０（リモコン受信部４から出力する受光出力信号と同じで且つ赤外線ノイズを含まない）が出力する。
【００１０】
ＰＬＬ回路８は、図２に示すように、位相比較器８１、チャージポンプ８２、ＶＣＯ８３、分周器（この場合は、分周比＝１）８４をループ接続した構成であり、チャージポンプ８２はリモコン受信部４で赤外線リモコン信号Ｓ３が受光されているとき、イネーブルとなる。
【００１１】
さて、図３に示すように、プラズマディスプレイ２の発光（Ｓ１）中は赤外線ノイズＳ２が発生し、リモコン受信部４にその赤外線ノイズＳ２が入力すると、そのリモコン受信部４で受光された赤外線信号を電気信号に変換した受光出力信号Ｓ４には、本来の搬送波成分の外に、赤外線ノイズＳ２の周波数成分が重畳される。この赤外線ノイズ成分の重畳部は、ノイズ除去部５において、赤外線ノイズＳ２の重畳期間と同期した遮断パルスＳ５によって除去されてノイズ除去信号Ｓ６となり、これを復調した復調信号Ｓ７は、赤外線リモコン信号Ｓ３のパルス幅の一部が欠けた信号となる。
【００１２】
遮断パルス信号Ｓ５と復調信号Ｓ７から、ノイズ除去により欠けた信号部分を復元したコード信号Ｓ９を得るには、エンコーダ７において、図４に示すように処理する。赤外線リモコン信号Ｓ２のパルス幅（赤外線リモコン信号Ｓ２のＯＮ期間）は、０．５ｍｓ程度であるのに対し、プラズマディスプレイ２の発光期間はそれより短い。したがって、復調信号Ｓ７において、ノイズ除去により欠ける箇所は、復調信号Ｓ７の前側、中央、後側に分けられる。
【００１３】
復調信号Ｓ７の前側が欠けた場合（図４のＡ）は、遮断パルス信号Ｓ５のパルス後縁と復調信号Ｓ７のパルス前縁が一致するので、これを検知したとき復調信号Ｓ７のパルス前縁に不足分のパルス成分を付加し、正規なパルス幅をもつコード信号Ｓ９に復元する。付加するパルス成分は、現在のパルス幅と正規のパルス幅との差分である。
【００１４】
また、復調信号Ｓ７の後側が欠けた場合（図４のＢ）は、遮断パルス信号Ｓ５のパルス前縁と復調信号Ｓ７のパルス後縁が一致するので、これを検知したとき復調信号Ｓ７のパルス後縁に不足分のパルス成分を付加し、正規なパルス幅をもつコード信号Ｓ９に復元する。付加するパルス成分は、現在のパルス幅と正規のパルス幅との差分である。
【００１５】
さらに、復調信号Ｓ７の中央が欠けた場合（図４のＣ）は、遮断パルス信号Ｓ５のパルス前縁と復調信号Ｓ７のパルス後縁が一致し且つ遮断パルス信号Ｓ５のパルス後縁と復調信号Ｓ７のパルス前縁が一致するので、これを検知したとき復調信号Ｓ７のパルス中央に不足分のパルス成分を付加し、正規なパルス幅をもつコード信号Ｓ９に復元する。この場合は前側パルスと後側パルスとの間を補充すればよい。
【００１６】
エンコーダ７から出力するコード信号Ｓ９は、必要に応じて制御部１に取り込まれて、制御に使用される。また、変調部９に取り込まれて、ＰＬＬ回路８で生成された再生搬送波信号を変調し、再変調信号Ｓ１０として、赤外線発光部（図示せず）に入力され、プラズマディスプレイ２以外の他の被制御対象のリモコン受信部（図示せず）に対して発信される。
【図面の簡単な説明】
【００１７】
【図１】本発明の赤外線リモコン装置を適用したプラズマディスプレイ装置の要部の構成を示すブロック図である。
【図２】図１のＰＬＬ回路の詳細な構成のブロック図である。
【図３】本発明の赤外線リモコン装置の動作時の各信号の波形図である。
【図４】コード信号の復元の説明図である。
【図５】従来の赤外線リモコン装置を適用したプラズマディスプレイ装置の要部の構成を示すブロック図である。
【符号の説明】
【００１８】
１：制御部、２：プラズマディスプレイ、３：リモコン送信器、４，４Ａ：リモコン受信部、５：ノイズ除去部、６：復調部、７：エンコーダ、８：ＰＬＬ回路、９：変調部、１１：デコーダ。
【図１】
2008211357.tif 000003
【図２】
2008211357.tif 000004
【図３】
2008211357.tif 000005
【図４】
2008211357.tif 000006
【図５】
2008211357.tif 000007